(57)【要約】  本発明は、端末機でソースカバリッジ領域をターゲットカバリッジ領域に変更する方法、及びスイッチフレーム、そのスイッチフレームを含む逆方向品質指示チャンネルの構成に関する。したがって、スイッチフレームは、ソースカバリッジ領域に対するキャリア対干渉比に対する情報及び／又はその干渉比に対する変化情報を含む第１領域と、ターゲットカバリッジ領域に対する情報を含む第２領域とを含む。ここで、第１領域のキャリア対干渉比のための領域の大きさ、及び第２領域の大きさが優先的に決定され、第１領域と第２領域上で該当情報が順次に伝送される。
2005525020.tif 000002
【特許請求の範囲】
【請求項１】
フレームの前半部にチャンネル品質指示情報を有する少なくとも一つの一番目のスロットと、
フレームの後半部にセル／セクタ切換情報を有する少なくとも一つの二番目のスロットとを含むことを特徴とするセル／セクタを伝送するためのフレーム。
【請求項２】
前記フレームは、前記一番目のスロットと前記二番目のスロットとの間にサービングセル／セクタを有する前記チャンネル指示情報の差情報を有する少なくとも一つの三番目のスロットを更に含むことを特徴とする請求項１に記載のセル／セクタを伝送するためのフレーム。
【請求項３】
前記三番目スロットの長さは前記二番目スロットの長さによって変わることを特徴とする請求項２に記載のセル／セクタを伝送するためのフレーム。
【請求項４】
前記三番目スロットの長さは前記セル／セクタ切換情報のスロット反復因子のＮと、チャンネル品質指示情報のスロット反復因子のｎとをかけて決定されることを特徴とする請求項１に記載のセル／セクタを伝送するためのフレーム。
【請求項５】
前記チャンネル品質指示情報はキャリア対干渉比を有することを特徴とする請求項１に記載のセル／セクタを伝送するためのフレーム。
【請求項６】
前記フレームの長さは２０ｍｓであることを特徴とする請求項１に記載のセル／セクタを伝送するためのフレーム。
【請求項７】
前記各スロットの長さは１．２５ｍｓであることを特徴とする請求項１に記載のセル／セクタを伝送するためのフレーム。
【請求項８】
前記セル／セクタ切換情報は、ターゲットセル／セクタカバーを有するチャンネル品質情報の特定の常数と差情報のいずれか一つであることを特徴とする請求項１に記載のセル／セクタを伝送するためのフレーム。
【請求項９】
前記二番目のスロットの伝送電力は前記一番目のスロットの伝送電力と同じであることを特徴とする請求項１に記載のセル／セクタを伝送するためのフレーム。
【請求項１０】
前記二番目のスロットは、フレームのＫ番目のスロットで始まり、前記Ｋは前記フレームのスロットの番号から(Ｎｓ＊ｎ)＋１を引いて決定される絶対整数であり、前記Ｎは、前記セル／セクタ切換情報のスロット反復因子であり、ｎはチャンネル品質指示情報のスロット反復因子であることを特徴とする請求項１に記載のセル／セクタを伝送するためのフレーム。
【請求項１１】
スイッチフレームの前半部の少なくとも一つのスロットを用いてチャンネル品質情報を伝送する段階と、
スイッチフレームの後半部の少なくとも一つのスロットを用いてセル／セクタ切換情報を伝送する段階とを含む端末機でセル／セクタ内のスイッチフレームを伝送する方法。
【請求項１２】
前記セル／セクタ切換情報は、ターゲットセル／セクタカバーを有するチャンネル品質情報の特定の常数と差情報のいずれか一つであることを特徴とする請求項１１に記載の端末機でセル／セクタ内のスイッチフレームを伝送する方法。
【請求項１３】
前記サービングセル／セクタを有するチャンネル品質情報の差情報を伝送する段階を更に含むことを特徴とする請求項１１に記載の端末機でセル／セクタ内のスイッチフレームを伝送する方法。
【請求項１４】
前記差情報の長さはセル／セクタ切換情報の長さによって決定されることを特徴とする請求項１３に記載の端末機でセル／セクタ内のスイッチフレームを伝送する方法。
【請求項１５】
スイッチフレームの前半部でサービングセル／セクタのチャンネル品質情報を有する第１領域と、
スイッチフレームの後半部でセル／セクタ切換情報を有する第２領域と、
前記第１領域と前記第２領域の間にチャンネル品質情報の差情報を有する第３領域とを含むことを特徴とするスイッチフレーム。
【請求項１６】
前記二番目スロットの長さは前記セル／セクタ切換情報のスロット反復因子のＮｓと、チャンネル品質指示情報のスロット反復因子のｎとをかけて決定されることを特徴とする請求項１５に記載のスイッチフレーム。
【請求項１７】
前記セル／セクタ切換情報は、前記第２領域のスロットのターゲットセル／セクタカバーを有するチャンネル品質情報の差情報をＮ＊ｎにかけることを繰り返して求め、前記ターゲットセル／セクタカバーを有する差情報は前記第２領域の一番目のスロットで測定されることを特徴とする請求項１６に記載のスイッチフレーム。
【請求項１８】
前記セル／セクタ切換情報は、前記第２領域の一番目のゲートオンスロットのターゲットセル／セクタカバーを有するチャンネル品質情報の差情報をＮ＊ｎにかけることを繰り返して求め、前記ターゲットセル／セクタカバーを有する前記差情報は前記第２領域のゲートオンスロットで測定されることを特徴とする請求項１６に記載のスイッチフレーム。
【請求項１９】
前記セル／セクタ切換情報は、前記第２領域のスロットのターゲット／セルセクタに対する特定の常数をＮ＊ｎにかけることを繰り返して求め、前記特定の常数は前記第２領域の一番目スロットのものである請求項１６に記載のスイッチフレーム。
【請求項２０】
第２領域の伝送力は第１領域のチャンネル品質情報の伝送力と同一であることを特徴とする請求項１６に記載のスイッチフレーム。
【請求項２１】
少なくとも一つのスイッチフレームを有する端末機通信のための品質インディケータチャンネルにおいて、
前記スイッチフレームの前半部でサービングセル／セクタのチャンネル品質情報を有する第１領域と、
前記スイッチフレームの後半部でセル／セクタ切換情報を有する第２領域と、
前記第１領域と前記第２領域の間のチャンネル品質情報の差情報を有する第３領域とを含むことを特徴とするスイッチフレーム。
【請求項２２】
前記第２領域の長さは前記切換情報のスロット反復値のＮと、前記チャンネル品質情報の反復因子のｎとをかけて決定されることを特徴とする請求項２１に記載のスイッチフレーム。
【発明の詳細な説明】
【技術分野】
【０００１】
本発明は通信に関し、特に端末機でソースカバリッジ領域をターゲットカバリッジ領域に変更する方法、スイッチフレーム、そのスイッチフレームを含む品質インディケータチャンネルの構成に関する。
【背景技術】
【０００２】
１ｘ ＥＶ−ＤＶ(１x EV-Data & Voiｃe)システムでは、高速パケットデータチャンネルを支援するために、逆方向のチャンネル品質インディケータチャンネル(Channel Quality Indicator channel；以下ＣＱＩＣＨ)を定義した。このＣＱＩＣＨの役割として大きく二つが考えられる。
【０００３】
第一に、最上のサービングセル／セクタのキャリアのキャリア対干渉(Carrier-to-Interference；以下Ｃ／Ｉ)信号の電力比として表れるチャンネル情報を１．２５ｍｓごとに報告するのに用いられる。このチャンネル情報に基づいて該当基地局は、パケットデータチャンネルの伝送電力レベル、データ伝送レート(例えば、パケットデータチャンネルで特定の移動局を計画したり、パケットデータチャンネルで一つのパイロット（例えば、セクタやＢＴＳ）から他のセクタやＢＴＳへ伝送する時にエンコーダーパケットデータの大きさと伝送スロット期間)を変える。
【０００４】
第二に、活性群に属するセル／セクタの中、最上のサービングセル／セクタをポインティングするのに用いられる。即ち、ＣＱＩＣＨの全体又は一部は、最上のセル／セクタの固有ウォルシュコードでカバーリングされて伝送されるので、該当基地局がそのＣＱＩＣＨをディカバーリングすると、最上のサービングセル／セクタを認知できる。
【０００５】
ＣＱＩＣＨの伝送プロトコルは、セル／セクタ切換が存在しない場合、大きくノーマルモードと、減少レートモードとの二つのモードに分けられる。また、ノーマルモードと、減少レートモードに対してフルリポーティングモードと、差Ｃ／Ｉ測定値（ＤＭ：DifferentialＣ／Ｉ Measurement)リポーティングモードの二つの伝送モードがそれぞれ存在する。
【０００６】
図１Ａと図１Ｂは、従来技術に係るアクティブ状態のノーマルモードでの逆方向リンク上でチャンネル情報を伝送する方法を説明するための図で、図２Ａと図２Ｂは、従来技術に係るアクティブ状態の１／２レート減少モードでのチャンネル情報を伝送する方法を説明するための図である。
【０００７】
図１Ａ、図１Ｂ及び図２Ａ、図２ＢはＣＱＩＣＨの伝送プロトコルの中セル／セクタ切換が存在しない場合の４つの伝送モードを説明するもので、チャンネル情報（例えば、キャリア対干渉比）を伝送するためのフレームの構成を示すものである。
【０００８】
一番目の伝送モードは、図１ａに示したようなノーマルモードでのＤＭ伝送モードである。このノーマルモードのＤＭモードにおいて端末機は、毎２０ｍｓフレームの一番目の１．２５ｍｓスロットで現在のサービングセル／セクタ、つまり最上のサービングセル／セクタの順方向フルＣ／Ｉ情報を予め定めたビットの数で量子化し、この量子化したフルＣ／Ｉ情報に[１２，４]ブロックコーディングを適用し、このブロックコーディングされたＣ／Ｉ情報に８-ａｒｙウォルシュカバーリングをして、最上のサービングセル／セクタの基地局を含むアクティブセット内の少なくとも一つの基地局に伝送する。
【０００９】
そして、残りの１５個の１．２５ｍｓスロットの間に、スロットごとに、以前のスロットで測定したフルＣ／Ｉ情報に比べて現在のスロットで測定したＣ／Ｉ品質（順方向リンク品質）が良い品質に変化したか、悪い品質に変化したかを判断して、これによって品質上昇／下降命令を基地局に伝送する。
【００１０】
この品質上昇／下降命令は１２回繰り返された後、最上のサービングセル／セクタに該当する８-ａｒｙウォルシュカバーリングが適用された後伝送される。フルＣ／Ｉ情報及び上昇／下降命令は、フルＣ／Ｉ情報及び上昇／下降命令をウォルシュディカーバリングできる基地局のみが検出して用いることができる。
【００１１】
ノーマルモードのフルリポーティングモードとは異なり、ノーマルモードのＤＭモードでは１．２５ｍｓの間伝送しようとする情報のビット数が１ビットである場合、伝送電力を大きく減らすことができる。即ち、このノーマルモードのＤＭモードを使用する場合、ノーマルモードのフルリポーティングに比べて逆方向リンクの負荷をかなり減らすことができるという長所を有する。
【００１２】
しかしながら、このノーマルモードのＤＭモードでは、該当基地局が２０ｍｓフレームの一番目のスロット区間の間受信した最上のサービングセル／セクタのフルＣ／Ｉ情報を検出できなかったり、ターゲットフレームエラーレート以上で受信すると、該当基地局は、フルＣ／Ｉ情報が伝送された以後に受信される１５回のＤＭシンボルによる誤差のプロパゲーションが不可避であるという短所を有する。したがって、２０ｍｓフレームごとの一番目のスロット区間の間に伝送される４ビットのフルＣ／Ｉ情報は、該当基地局が正確に受信できるような充分に高い伝送電力で伝送される。
【００１３】
二番目の伝送モードは、図１ｂに示したようなノーマル動作モードでのフルリポーティングモードである。このノーマルモードのフルリポーティングモードで端末機は、１．２５ｍｓごとに最上のサービングセル／セクタの順方向Ｃ／Ｉ情報を測定して、これを予め定めたビットの数で量子化し、この量子化した情報に[１２，４]ブロックコーティングを適用し、このブロックコーディングされた量子化情報に対して最上のサービングセル／セクタに対する８-ａｒｙウォルシュカバーリングをして、現在のサービングセル／セクタの基地局を含むアクティブセット内の少なくとも一つの基地局に伝送する。
【００１４】
フルＣ／Ｉ情報は、フルＣ／Ｉ情報をウォルシュディカバーリングすることのできる基地局のみが検出して用いることができる。このノーマルモードのフルリポーティングモードは、順方向リンクに対する品質情報を比較的正確に該当基地局が検出できるという長所を有するが、多くの伝送電力を必要とする。このため、逆方向リンクの容量を多く占有するという短所を有する。したがって、このノーマルモードのフルリポーティングモードは、一般的に逆方向リンクに多数のユーザーがいる場合には不適切な伝送モードであり、逆方向の負荷が少ない場合にのみ使用される伝送モードである。
【００１５】
三番目の伝送モードは、図２ａに示したような減少レートモードでのＤＭ伝送モードである。この減少レートモードのＤＭモードにおいて、基本的な動作は最初のノーマルモードのＤＭモードと同一であるが、次のような差異を有する。すなわち、予め定めた反復レートによって２０ｍｓごとの一番目のスロット上で伝送する現在のサービングセル／セクタの４ビットのフルＣ／Ｉ情報の反復回数が決定される。即ち、反復レートが２である場合には、一番目のスロットと二番目のスロット区間の間に同一の４ビットのフルＣ／Ｉ情報を伝送する。
【００１６】
さらに、三番目スロットから１６番目スロット区間の間には、ノーマルモードのＤＭモードと同様の方式でＤＭ情報が伝送される。フルＣ／Ｉ情報及び品質上昇／下降命令は、フルＣ／Ｉ情報及び品質上昇／下降命令をウォルシュディカバーリングできる基地局のみが検出して用いることができる。この減少レートモードのＤＭモードは、減少レートモードのフルリポーティングモードの場合と同様に、逆方向リンクと、順方向リンクの品質においてリンクインバランスが発生する場合に、該当基地局が４ビットのフルＣ／Ｉ情報を正確に受信するようにするために使用する伝送モードである。
【００１７】
四番目の伝送モードは、図２ｂに示したような減少レートモードでのフルリポーティングモードである。この減少レートモードでのフルリポーティングモードではノーマルモードのフルリポーティングモードの場合と同様に、スロットごとに最上のサービングセル／セクタの４ビットのフルＣ／Ｉ情報が伝送される。しかし、減少レートモードのＤＭモードとは異なるように指示された規反復レートによって同一の４ビットのフルＣ／Ｉ情報が繰返して伝送される。
【００１８】
もし、反復レートが２である場合には、一番目のスロットと、二番目のスロットから伝送される４ビットのフルＣ／Ｉ情報は同一の情報である。同様に、三番目のスロットと、四番目スロットから伝送される４ビットのフルＣ／Ｉ情報もまた互いに同じ情報となる。
【００１９】
もし、反復レートが４である場合には、一番目、二番目、三番目、そして四番目のスロットから伝送される４ビットのフルＣ／Ｉ情報は互いに同一の情報となる。このフルＣ／Ｉ情報をウォルシュディカバーリングできる基地局のみが検出して用いることができる。このような方式で４ビットのフルＣ／Ｉ情報を繰返して伝送する場合、該当基地局が４ビットのフルＣ／Ｉ情報を正確に受信する確率を高めることができる。
【００２０】
したがって、このような減少レートモードでのフルリポーティング伝送モードは、逆方向リンクと順方向リンクとの間にリンクインバランスが発生し、順方向リンクの品質は優れているが、逆方向リンクの品質が劣る場合にも、４ビットのフルＣ／Ｉ情報を該当基地局がターゲットエラーレート以下のエラーレートで受信できるようにするために使用される伝送モードである。
【００２１】
このような４つの伝送モードと共に考慮すべきモードが図３Ａと図３Ｂ及び図４Ａと図４Ｂに示したようなコントロールホールドモードである。このモードは、逆方向や順方向リンク上で送るデータが存在しない場合、電力の浪費を防ぐためにパイロットチャンネルの伝送と、ＣＱＩＣＨの伝送をスロット別に制限するモードである。図３Ａと図３Ｂ及び図４Ａと図４Ｂは、コントロールホールドモードでのＣＱＩＣＨの伝送モードを示している。
【発明の開示】
【発明が解決しようとする課題】
【００２２】
しかしながら、逆方向のチャンネル品質インディケータチャンネル(ＣＱＩＣＨ)での最上のサービングセル／セクタに対するチャンネル品質情報と変更情報(切換情報)は、上述したＣＱＩＣＨの伝送モードによって多様なものにならなければならない。又、基地局がチャンネル品質情報と変更情報を能率的に受信して使用できるようにＣＱＩＣＨのフレーム構成を定めなければならない。
【００２３】
例えば、チャンネル品質情報と変更情報は基地局によって続けてアップデートされなければならず、かつ基地局もまた変更情報に基づきＣＱＩＣＨの移動局をスケジュールしなければならないので、基地局はチャンネル品質情報をエラーや時間の遅滞なしに受信しなければならない。
【００２４】
本発明は上記の従来技術の問題点に鑑みて案出したもので、スイッチフレームと、端末機でスイッチフレームを伝送する方法とそのスイッチフレームを含む逆方向の品質インディケータチャンネルの構成とを提供することが目的である。
【００２５】
本発明の他の目的は、スイッチフレームと、端末機でそのスイッチフレームを伝送する方法と、チャンネル品質情報のアップデートの円滑な実行が可能なスイッチフレームを含む逆方向の品質インディケータチャンネルの構成とを提供することである。
【００２６】
本発明のさらに他の目的は、スイッチフレームと、端末機でそのスイッチフレームを伝送する方法と、セル／セクタ切換が円滑に行われるようにするスイッチフレームを含む逆方向の品質インディケータチャンネルの構成とを提供することである。
【課題を解決するための手段】
【００２７】
上記目的を達成するために、本発明に係るセル／セクタを伝送するためのフレームは、そのフレームの前半部にチャンネル品質指示情報を有する少なくとも一つの一番目のスロットと、そのフレームの後半部にセル／セクタ切換情報を有する少なくとも一つの二番目のスロットとを有することを特徴とする。
【００２８】
又、上記目的を達成するために、本発明に係るセル／セクタ内のスイッチフレーム伝送方法は、そのスイッチフレームの前半部の少なくとも一つのスロットを用いてチャンネル品質情報を伝送する段階と、そのスイッチフレームの後半部の少なくとも一つのスロットを用いてセル／セクタ切換情報を伝送する段階とを含むことを特徴とする。
【００２９】
又、上記目的を達成するために、本発明に係るスイッチフレームは、その前半部のサービングセル／セクタのチャンネル品質情報を含む第１領域と、その後半部のセル／セクタ切換情報を含む第２領域と、前記第１領域と第２領域の間のチャンネル品質情報の差情報を含み、前記第２領域の長さによって決定される長さを有する第３領域とを含むことを特徴とする。
【００３０】
又、上記目的を達成するために、本発明に係る移動通信のための品質インディケータチャンネルは、少なくとも一つのスイッチフレームを有し、そのスイッチフレームは、その前半部のサービングセル／セクタのチャンネル品質情報を含む第１領域と、その後半部のセル／セクタ切換情報を含む第２領域と、前記第１領域と第２領域の間にチャンネル品質情報の差情報を含み、前記第２領域の長さによって決定される長さを有する第３領域とを含むことを特徴とする。
【発明を実施するための最良の形態】
【００３１】
以下、本発明の好適な実施例に係る構成及び作用を添付の図面に基づいて詳細に説明する。
【００３２】
まず、図５〜図１２において、長方形の高さは該当スロットで伝送されるデータの伝送電力を表す。もし、スロットインデックスが一つの長方形内の番号と同じであれば、その番号は新たなフル又は新たな差Ｃ／Ｉ測定値(ＤＭ)を表す。スロットインデックスが長方形内の番号と異なれば、そのＣ／Ｉ測定値は長方形内の番号に指定されたインデックスを有したものより最近のスロットで伝送された以前のＣ／Ｉ測定値の反復値である。長方形内の番号の繰り返しは、同じＣ／Ｉ測定値（例えば、減少レートモードに対する測定値）の繰り返しを表す。
【００３３】
又、図５〜図１２において、‘Ｎ’とはノーマルモードの一つのスイッチフレームに含まれた切換指示スロットの数字として定義される。‘ｎ’は、減少レートモードの反復因子（又はチャンネル品質インディケータ(ＣＱＩ)反復因子）として定義される。
１／２減少レートモードの場合、ｎは２となり、１／４減少レートモードの場合、ｎは４となる。ノーマルモードは‘ｎ’が１である場合に該当するものと仮定することができる。
【００３４】
まず、ｎは１、２、３、４、６、７のうちの一つの値である。このｎはそれ以外にも他の値を持つことができる。  
この値が１である場合はノーマルモードを表し、ｎが１以外の値になれば、１／２レート、１／４レートのような減少レートモードである。そして２０mｓの一つのフレームは１６個のスロットで構成されるとする。この時、一つのフレームの始まりは、伝送モードと関係なく、一番目のフルＣ／Ｉ情報を該当基地局に送るということを仮定する。
【００３５】
本発明で切換指示情報は、セル間のハンドオフ、互いに異なる基地局に含まれるセクタ間のハンドオフ、一基地局でのセクタ間のハンドオフなどが遂行される時、サービングセル／セクタ及びターゲットセル／セクタの基地局に送信されるということを仮定する。
【００３６】
まず、コントロールホールドモードではないアクティブモードにおいて本発明に係るスィッチフレームの構成方法は次の通りである。アクティブモードは、ノーマルモードと減少レートモードを指示する。
【００３７】
端末機はセル／セクタを切り換えるための自分の意図を表す切換指示情報をスイッチフレームの最後の(Ｎ*ｎ)スロットの間で繰り返して送る。
この送信スロットの数(Ｎ*ｎ)は、該当スイッチフレームの最後の送信スロットからカウントされる。例えば、コントロールホールドモードではない場合、切換指示情報伝逹のために使用可能なスロットの数が(Ｎ*ｎ)より大きいか同じであれば、切換指示のスタートスロットは、スイッチフレームのうち[１６-(Ｎ*ｎ) +１]番目のスロットである。この[１６-(Ｎ*ｎ)+１]番目のスロットから送信される切換指示情報は、最上のサービングセル／セクタに対する特定の常数であるかＤＭ情報であり、ウォルシュカバーは、ターゲットセル／セクタに該当するウォルシュカバーを使用する。
【００３８】
そして、この[１６-(Ｎ*ｎ)+１]番目のスロット以後の[(Ｎ*ｎ)-１]番目のスロット区間の間には切換指示のスタートスロットで伝送した１ビットのＤＭ情報を繰り返して伝送する。使用するウォルシュカバーは、ターゲットセル／セクタに該当するウォルシュカバーである。スイッチフレームの１番目のスロットで始まり、ｎ番目のスロット(ｎ=１、２、３、４．．．．)までの区間の間には１番目のスロットで測定されたサービングセル／セクタに対するフルＣ／Ｉ情報を、サービングセル／セクタのウォルシュカバーを使って繰り返して伝送する。
【００３９】
前記スイッチフレームの(ｎ+１)番目のスロットから[１６-(Ｎｓ*ｎ)]番目のスロット区間の間にセル／セクタ切換がなかった場合、ＣＱＩＣＨの該当送信モードにより決められたされたＣ／Ｉ送信方法によってＣ／Ｉ情報(フルＣ／Ｉ情報又はこのフルＣ／Ｉ情報に対するＤＭ情報)が送信される。このようなスイッチフレームを、サービングセル／セクタ及びターゲットセル／セクタの該当基地局で正確に検出することができるようにＮフレームの間繰り返される。
【００４０】
万が一Ｎ=１である場合に端末機は、セル／セクタ切換に対する指示情報が送信された直後からターゲットセル／セクタでＣ／Ｉ情報を報告する。したがってこの場合には、ターゲットセクタと現在のサービングセクタがコロケイティッド(collocated)されている場合に使うことができる。
【００４１】
本発明でのチャンネル情報及び／又は切換指示情報を伝送するためのフレームの構成を、図５及び図１２でＣＱＩＣＨの各送信モード別に整理した。ここで、切換指示情報は、切り換えようとするターゲットセル／セクタに対するスイッチカバー(ウォルシュコード)又は特定の整数としてポインティングされる。
【００４２】
また、スイッチフレーム内で切換指示情報を伝送するのに使用可能なスロットのうち、切換指示フレームの最後のスロットから逆順にカウンティングして、必要なだけの切換指示伝送スロットを割り当てる。
【００４３】
即ち、それぞれの多数の送信モードによって切換指示スロットとして使用可能なスロットのうち、スイッチフレームの最後のスロットから(Ｎｓｎ)スロットだけが切換指示情報を伝送するために割り当てられる。この際、切換指示スロットとして使用可能なスロットとしては、基本的にそれぞれの伝送モードにしたがってフルＣ／Ｉ情報を送るべきスロットは除外しなければならず、また、コントロールホールドモードでゲートオフになるスロットも除外しなければならない。
【００４４】
一方、切換指示スロットとして使用可能なスロットの数が(Ｎ*ｎ)より大きいか同じであれば、切換指示スロットとして使用可能なスロットのうち、スイッチフレームの最後のスロットから(Ｎ*ｎ)スロットが切換指示スロットに割り当てられ、これを除いた残りのスロットは、伝送モードにしたがって切換フレームではない場合にフレーム構成方法と同一の方式で割り当てられる。もし、切換指示スロットとして使用可能なスロットの数が(Ｎ*ｎ)より少なければ、切換指示スロットとして使用可能な全てのスロットを切換指示スロットに割り当てる。
【００４５】
セル／セクタ切換指示スロットは、スイッチフレームのＫ番目のスロットから始まる。Ｋは、スイッチフレームのスロット数から(Ｎ＊１)を引いて決定される正の整数である。切換指示スロットの長さは(Ｎ＊ｎ)より小さい。キャリア対干渉比スロットと、セル／セクタ切換指示スロット間のチャンネル品質情報の差情報の長さはセル／セクタ切換指示スロットの長さによって決定される。
【００４６】
図５Ａ〜図５Ｃは、本発明に係るノーマルモードのＤＭ伝送モードでセル／セクタ切換チャンネル情報及び／又は切換指示情報を伝送するためのフレームの構成を示すダイアグラムである。
【００４７】
図５Ａに示したように、Ｎは３と仮定する。図５Ａを参照すると、ノーマル動作モードのＤＭ伝送モードにおいて、端末機は、セル／セクタ切換時に予め決めた電力レベルのＣ／Ｉ情報（以下、フルＣ／Ｉ情報）と、スイッチフレームの一番目のスロットのサービングセル／セクタに対するビット数を伝送する。
【００４８】
一番目のスロットのフルＣ／Ｉ情報は、サービングセル／セクタに対するウォルシュコードでカバーされた後に伝送される。二番目のスロットからスイッチフレームの１３番目のスロット区間の間、スロットごとにサービングセル／セクタのフルＣ／Ｉ情報に対する差Ｃ／Ｉ測定値(以下‘ＤＭ’)情報が伝送される。二番目のスロットから１３番目のスロットのＤＭ情報は、サービングセル／セクタに対するウォルシュコードでカバーされた後に伝送される。
【００４９】
端末機がスイッチしようとするターゲットセル／セクタに対する切換指示情報は、該当フレーム内の１４番目のスロットから伝送される。１４番目のスロットで伝送された値は、１４番目のスロット区間の間測定されたサービングセル／セクタに対するＣ／Ｉ情報の特定の常数とＤＭ情報のうちの一つである。ＤＭ情報は、切り換えられるターゲットセル／セクタに対するウォルシュコードでカバーされた後に伝送される。
【００５０】
１５番目のスロットと１６番目ののスロットで伝送される特定の常数やＤＭ情報は、１４番目のスロットで伝送された値が繰り返される。このように、ＤＭ情報はターゲットセル／セクタに対するウォルシュコードでカバーされた後、１５番目と１６番目のスロットで伝送される。
【００５１】
１４番目のスロットから１６番目のスロット上のＤＭ情報に対するウォルシュコードはスイッチカバーとして表わされる。１４、１５、１６番目スロットは、最初のＤＭ情報に対して決められたされた低い伝送電力を使用せず、フルＣ／Ｉ情報を伝送するために決められた高い伝送電力を使用する。
【００５２】
端末機は、決定されているスイッチフレーム反復因子のＮフレームに対するスイッチフレームを繰り返して伝送することで、端末機がスイッチしようとする最上のサービングセル／セクタ及び／又はターゲットセル／セクタを有する基地局が端末機の切換意図、例えばどの時点でセル／セクタス切換が発生し、どのセル／セクタに切換が発生するかを正確に探知することができる。
【００５３】
図５Ｂは、ノーマル動作モードのＤＭ伝送モードにおいてＮが７でｎが２である場合、チャンネル情報と切換指示情報を伝送するためのフレームの構成を示したダイアグラムである。図５Ｂに示したように、ｎ＝２に基づいてスイッチの一番目のスロットと二番目のスロットのサービングセル／セクタに対するフルＣ／Ｉ情報がセル／セクタ切換時に伝送される。
【００５４】
Ｎ＝７に基づき、ス切換指示情報（ターゲットセル／セクタに対するウォルシュコードでカバーされた特定の常数又はサービングセル／セクタに対するフルＣ／Ｉ情報のＤＭ情報）が１４(２＊７）スロットの間伝送されるので、スイッチフレームの後半部の１４個のスロットの数がまず決定される。したがって、一番目のスロットと二番目のスロットのフルＣ／Ｉ情報のＤＭ情報は次のスロットで伝送することができない。
【００５５】
即ち、スイッチフレーム上でサービングセル／セクタカバーを有するＤＭ情報の長さは、切換指示情報の長さによって決定される。しかし図５Ｂに示したように、二番目のスロットの以後三番目のスロットで測定されたサービングセル／セクタに対するフルＣ／Ｉ情報の特定常数又はＤＭ情報は、フルＣ／Ｉ情報の伝送電力と同一の伝送電力で反復的に伝送される。この際、スイッチカバーのように、ターゲットセル／セクタに対するウォルシュコードが使用される。
【００５６】
図５Ｃは、ノーマル動作モードのＤＭ伝送モードにおいてＮが２で反復因子ｎが４である場合、チャンネル情報とス切換指示情報を伝送するためのフレームの構成を示したダイアグラムである。図５Ｃを参照すると、ｎ＝４に基づき、スイッチフレームの一番目のスロットから４番目のスロットまでの区間の間サービングセル／セクタに対するフルＣ／Ｉ情報が伝送される。フルＣ／Ｉ情報はサービングセル／セクタに対するウォルシュコードでカバーされた後に伝送される。
【００５７】
Ｎ＝２に基づき、切換指示情報（サービングセル／セクタに対するウォルシュコードでカバーされた特定の常数又はＤＭ情報であり、ＤＭ情報は、最上のサービングセル／セクタに対するフルＣ／Ｉ情報と符合する）を伝送するためには８(２＊４)スロットが必要である。
この際、スイッチフレームの残りのスロットのうち８スロットは、優先的に切換指示情報のために割り当てられる。
【００５８】
即ち、スイッチフレーム上でサービングセル／セクタカバーを持ったＤＭ情報の長さは切換指示情報の長さによって決定される。したがって、図５Ｃに示したように、５番目のスロットから８番目のスロット上でスロットごとにフルＣ／Ｉ情報を測定したＤＭ情報は、該当スロットから伝送される。５番目のスロットから８番目のスロット上のＤＭ情報は、サービングセル／セクタに対するウォルシュコードでカバーされた後に伝送される。
【００５９】
その後、９番目のスロットからスイッチフレーム最後のスロット(決められている８スロット)までの区間の間、特定の常数が繰り返して伝送されるか、９番目スロットでサービングセル／セクタのフルＣ／Ｉ情報に対して測定されたＤＭ情報がターゲットセル／セクタに対するウォルシュコードでカバーされた後繰り返して伝送される。
９番目のスロット以後に伝送された特定の常数又はＤＭ情報は、フルＣ／Ｉ情報に対して割り当てられた伝送電力と同一の伝送電力を有する。
【００６０】
図６Ａ〜図６Ｃは、本発明に係るノーマルモードのフルリポーティング伝送モードでセル／セクタが伝送された時、チャンネル情報と切換指示情報を伝送するためのフレームの構成を示したダイアグラムである。図６Ａを参照すると、ノーマルモードのフルリポーティング伝送モードにおいて端末機は、セル／セクタ切換時にスイッチフレームの一番目のスロットからサービングセル／セクタに対して予め決めた伝送電力レベルでＣ／Ｉ情報(以下、フルＣ／Ｉ情報)を伝送する。
【００６１】
一番目のスロット上のフルＣ／Ｉ情報はサービングセル／セクタに対するウォルシュコードでカバーされた後に伝送される。二番目のスロットから１３番目のスロットまでの区間で、サービングセル／セクタに対するフルＣ／Ｉ情報はスロットごとに伝送される。このように、二番目のスロットから１３番目のスロット上のフルＣ／Ｉ情報は、サービングセル／セクタに対するウォルシュコードでカバーされた後の伝送される。
【００６２】
端末機がスイッチしようとするターゲットセル／セクタに対するス切換指示情報は、スイッチフレームの１４番目のスロットから伝送される。
１４番目のスロットで伝送された情報は、特定の常数又は予め決めてある伝送電力レベルと、１４番目のスロット区間の間に測定されたサービングセル／セクタに対するＣ／Ｉ情報のビット数を有する差Ｃ／Ｉ測定(ＤＭ)情報である。ＤＭ情報は、切り換えられるターゲットセル／セクタに対するウォルシュコードでカバーされた後に伝送される。
【００６３】
１５番目と１６番目のスロットで伝送される値は、特定の常数又は１４番目のスロットで伝送されたＤＭ情報が繰り返された値である。このように１５番目と１６番目のスロットのＤＭ情報はターゲットセル／セクタに対するウォルシュコードでカバーされた後に伝送される。
【００６４】
このとき、１４、１５、１６番目スロットの伝送電力は、最初のフルＣ／Ｉ情報のＤＭ情報のために決められた低い伝送電力ではなく、フルＣ／Ｉ情報を伝送するための高い伝送電力を使用する。
【００６５】
端末機は、端末機がスイッチしようとする最上のサービングセル／セクタ及び／又はターゲットセル／セクタを有する基地局が端末機の切換意図、例えばどの時点でセル／セクタ切換が発生し、どのセル／セクタに切換が発生するかを正確に探知できるように、予め決めたスイッチフレーム反復因子のＮフレームのスイッチフレームを繰り返して伝送する。
【００６６】
図６Ｂはノーマルモードのフルリポーティング伝送モードにおいてＮが４でｎが２である場合、チャンネル情報と切換指示情報を伝送するためのフレームの構成を示したダイアグラムである。図６Ｂに示したように、ｎ＝２に基づいてスイッチフレームの一番目と二番目のスロットからサービングセル／セクタに対するフルＣ／Ｉ情報が伝送される。
【００６７】
Ｎ＝７に基づいて１４(２＊７)スロットが切換指示情報（特定の常数又はサービングセル／セクタに対するフルＣ／Ｉ情報に符合し、ターゲットセル／セクタに対するウォルシュカバーでカバーされるＤＭ情報）を伝送するために割り当てられるので、スイッチの残りスロットのうち、スイッチの最後のスロットを含む１４個のスロットの数がまず定められ、切換指示情報のために割り当てられる。したがって、奇数（又な偶数）ごとにスロットで測定されたサービングセル／セクタに対するフルＣ／Ｉ情報は、一番目と二番目のスロットの後に伝送することができない。
【００６８】
したがって、図６Ｂに示したように、特定の常数が繰り返して伝送されるか、二番目のスロットの後、三番目のスロット区間の間にサービングセル／セクタに対するフルＣ／Ｉ情報のＤＭ情報が繰り返して伝送される。三番目のスロットの後に伝送された特定の常数やＤＭ情報は、フルＣ／Ｉ情報に対して割り当てられ、ターゲットセル／セクタに対するウォルシュコード（スイッチカバー）でカバーされ伝送される伝送電力と同一の伝送電力を有する。
【００６９】
図６Ｃはノーマルモードのフルリポーティング伝送モードにおいてＮが２で反復因子ｎが４である場合、チャンネル情報とス切換指示情報を伝送するフレームの構成を示すダイアグラムである。図６Ｃに示したように、ｎ＝４に基づいて一番目のスロットから４番目のスロットまでの区間の間、一番目のスロットのために測定されたサービングセル／セクタに対するＣ／Ｉ情報が繰り返して伝送される。
【００７０】
繰り返されたフルＣ／Ｉ情報は、サービングセル／セクタに対するウォルシュコードでカバーされた後伝送される。Ｎ＝２に基づいてス切換指示情報(特定の常数又はターゲットセル／セクタに対するウォルシュコードでカバーされ、サービングセル／セクタに対するフルＣ／Ｉ情報に符合するＤＭ情報）は８(２＊４)スロットを必要とするので、スイッチフレームの残りのスロットのうち、８個のスロットはス切換指示情報に対して優先的に割り当てられる。
【００７１】
即ち、スイッチフレーム上にサービングセル／セクタを有するＤＭ情報の長さは、切換指示情報の長さによって決定される。したがって、図６Ｃに示したように、５番目から８番目のスロットで、５番目のスロット区間の間に測定されたフルＣ／Ｉ情報が、サービングセル／セクタに対するウォルシュコードでカバーされた後、四回繰り返して伝送される。
【００７２】
その後、スイッチフレームの９番目のスロットから最後のスロット（予め決められた８スロット）までの区間の間、９番目のスロット上でサービングセル／セクタのフルＣ／Ｉ情報のために測定されたＤＭ情報が、ターゲットセル／セクタに対するウォルシュモード（スイッチコード）でカバーされた後伝送される。９番目のスロット以後反復的に伝送された特定の常数又はＤＭ情報は、フルＣ／Ｉ情報に対して定められた伝送電力と同じである。
【００７３】
図７は本発明に係る１／ｎ減少レートモードのＤＭ伝送モードにおいて、セル／セクタ切換時にチャンネル情報と切換指示情報を伝送するためのフレームの構成を示したダイアグラムである。図７を参照にすると、１／ｎ減少レートモードのＤＭ伝送モードでセル／セクタ時に端末機はスイッチフレームの一番目のスロットでサービングセル／セクタに対して予め定めた電力レベルとビット数を持ったＣ／Ｉ情報（以下、フルＣ／Ｉ情報）を伝送する。一番目のスロットのフルＣ／Ｉ情報は、サービングセル／セクタに対するウォルシュコードでカバーされた後伝送される。
【００７４】
ｎが４である場合、一番目スロットのフルＣ／Ｉ情報は、二番目、三番目、四番目のスロットでも繰り返して伝送される。ｎが４である場合、二番目スロットから四番目スロットまでのフルＣ／Ｉ情報は、サービングセル／セクタに対するウォルシュコードでカバーされた後伝送される。その後、(ｎ＋１)番目のスロットから[１６−(３＊ｎ)]番目スロットまでの区間の間、セル／セクタに対するフルＣ／Ｉ情報に対して予め定めた電力レベルとビット数を持ったＤＭ情報は、スロットごとに測定されて伝送される。ＤＭ情報は、サービングセル／セクタに対するウォルシュコードでカバーされた後伝送される。
【００７５】
ｎが４である場合、サービングセル／セクタカバーを有するフルＣ／Ｉ情報のＤＭ情報を伝送するためのスロットは存在しない。即ち、スイッチフレーム上のサービングセル／セクタカバーを有するＤＭ情報の長さは、切換指示情報によって決定される。
【００７６】
端末機によってスイッチされるターゲットセル／セクタに対する切換指示情報は、前記[１６−(３＊ｎ)]番目のスロットから伝送され始める。
[１６−(３＊ｎ)]番目のスロット上に伝送される前記切換指示情報は、特定の常数又はサービングセル／セクタに対するフルＣ／Ｉ情報のＤＭ情報を有する。[１６−(３＊ｎ)]番目のスロットの次のスロットからスイッチフレームの最後のスロットまでの区間で、端末機は[１６−(３＊ｎ)]番目のスロットで伝送された特定の常数又はＤＭ情報を繰り返して伝送する。
【００７７】
[１６−(３＊ｎ)]番目のスロットから１６番目スロットまで伝送される切換指示情報（特定の常数又はターゲットセル／セクタに対するフルＣ／Ｉ情報のＤＭ情報は、ターゲットセル／セクタに対するウォルシュコードでカバーされる）は、フルＣ／Ｉ情報に対して決められた高い伝送電力を使用する。
【００７８】
端末機は、予め定めたスイッチフレーム反復因子のＮフレームに対するスイッチフレームを繰り返して伝送することで、端末機が切り換えようとする最上のサービングセル／セクタ及び／又はターゲットセル／セクタを有する基地局が、端末機の切換意図、例えばどの時点でセル／セクタ切換が発生し、どのセル／セクタに切換が発生するかを正確に探知することができる。
【００７９】
図８は本発明に係る１／ｎ減少レートモードのフルリポーティング伝送モードにおいて、セル／セクタ切換時にチャンネル情報と切換指示情報を伝送するためのフレームの構成を示したダイアグラムである。図８を参照にすると、１／ｎ減少レートモードのフルリポーティング伝送モードでセル／セクタ切換時にスイッチフレームの一番目のスロットでサービングセル／セクタに対して決められた電力レベルを有するＣ／Ｉ情報（以下、フルＣ／Ｉ情報）を伝送する。  
一番目スロットのフルＣ／Ｉ情報は、サービングセル／セクタに対するウォルシュコードでカバーされた後伝送される。
【００８０】
ｎにしたがって、一番目のスロットに基づいて[ｎ＋１]番目のスロットごとに測定されるフルＣ／Ｉ情報はｎ回繰り返される。ｎが２である場合、３番目のスロットから１０番目のスロット区間の間、端末機はセル／セクタ切換が存在しない場合、ＣＱＩＯＣＨの伝送モードの作動と同一に作動する。
【００８１】
より詳細に説明すると、奇数(又は偶数)のスロット(３、５、７、９番目のスロット)ごとに測定されたサービングセル／セクタに対するフルＣ／Ｉ情報は二回ずつ繰り返されながら伝送される。この区間の間、フルＣ／Ｉ情報は、サービングセル／セクタに対するウォルシュコードでカバーされた後伝送される。
端末機が切換をしようとする場合、切換指示情報（特定の常数又はサービングセル／セクタに対するフルＣ／Ｉ情報のＤＭ情報は、ターゲットセル／セクタに対するウォルシュコードでカバーされる）が伝送され始める。
【００８２】
[１６−(３＊ｎ)]番目のスロットにおいて、端末機は特定の常数又は決められた電力レベルとビット数を有するサービングセル／セクタに対するフルＣ／Ｉ情報のＤＭ情報を伝送する。[１６−(３＊ｎ)]番目のスロットのＤＭ情報は、ターゲットセル／セクタに対するウォルシュコードでカバーされた後伝送される。
【００８３】
[１６−(３＊ｎ)]番目のスロットの次のスロットからスイッチフレームの最後のスロットまでの区間の間に、端末機は[１６−(３＊ｎ)]番目のスロットで伝送されたＤＭ情報を繰り返して伝送する。[１６−(３＊ｎ)]番目のスロットから１６番目のスロットまでの区間の間繰り返して伝送されるＤＭ情報は、フルＣ／Ｉ情報のＤＭ情報に対して決めた低い伝送電力を使用せず、フルＣ／Ｉ情報に対して決めた高い伝送電力を使用する。
【００８４】
端末機は、端末機が切り換えようとする最上のサービングセル／セクタ及び／又はターゲットセル／セクタを有する基地局が端末機の切換意図、例えばどの時点でセル／セクタ切換が発生し、どのセル／セクタに切換が発生するかを正確に探知できるように、予め決められたスイッチフレーム反復因子のＮフレームのスイッチフレームを繰り返して伝送する。
【００８５】
図９は、本発明に係る１／２レートコントロールホールドモードのＤＭ伝送モードにおいて、セル／セクタ切換時にチャンネル情報と切換指示情報を伝送するためのフレームの構成を示したダイアグラムである。  
【００８６】
一般に、コントロールホールドモードで伝送されたフレームは、５０％又は２５％のデューティサイクルとしてのパイロットゲイティングを有し、パイロットゲイティングパターンによってチャンネル情報（事前に決めた電力レベルとビット数を有したＣ／Ｉ情報(以下、フルＣ／Ｉ情報)、又は差Ｃ／Ｉ測定値（以下、ＤＭ）が伝送される。該当フレームが５０％パイロットゲイティング(１／２レートコントロールホールドモード）を有する場合、フレームの５０％に当たるスロットからフルＣ／Ｉ情報又はフルＣ／Ｉ情報のＤＭ情報が伝送される。
【００８７】
図９は１／２減少レート伝送モードのＤＭ伝送モードにおいて、フルＣ／Ｉ情報とフルＣ／Ｉ情報のＤＭ情報とを示す。セル／セクタ切換が減少レートモードとコントロールホールドモードで定義されていないので、端末機がセル／セクタを切り換えようとする時、そのモードを予め活動モードに転換する。
１／２減少レート伝送モードのＤＭ伝送モードで決められたスイッチフレームにおいて、フルＣ／Ｉ情報と、フルＣ／Ｉ情報の特定常数又はＤＭ情報が伝送される。
【００８８】
より詳細には、図９に示したように、１／２減少レート伝送モードのＤＭ伝送モードにおいて、端末機は、スイッチフレームの一番目のスロットで決められた電力レベルと、決められたビット数を有するサービングセル／セクタに対するフルＣ／Ｉ情報を伝送する。一番目のスロットのフルＣ／Ｉ情報は、サービングセル／セクタに対するウォルシュコードでカバーされた後伝送される。
【００８９】
図９に示したように、Ｎｓが３であると、このＮに基づいて切換指示情報（サービングセル／セクタに対するフルＣ／Ｉ情報の特定の常数又はＤＭ情報）を伝送するための三つのスロットの区間が予め割り当てられる。したがって、一番目のスロットの次のスロットから１１番目のスロットの前のスロットまで奇数（又は偶数）のスロットごとに測定されたサービングセル／セクタに対するフルＣ／Ｉ情報が該当スロットで伝送される。
【００９０】
一番目のスロットの次のスロットから１１番目スロットの前のスロットまでの区間の間、奇数（又は偶数）スロットごとに測定された伝送されたＤＭ情報は、サービングセル／セクタに対するウォルシュコードでカバーされた後伝送される。
その後、１／２パイロットゲイティングレートに対応して、１１番目のスロットの後の三つのスロットの間、１１番目のスロットで測定されたＤＭ情報がターゲットセル／セクタに対するウォルシュコードでカバーされた後伝送される。
【００９１】
図１０は、本発明に係る１／２レートコントロールホールドモードのフルリポーティング伝送モードでセル／セクタ切換時に逆方向リンク上でのチャンネル情報及び／又は切換指示情報を伝送するためのフレームの構成を示したダイアグラムである。
【００９２】
図１０を参照すると、１／２レートコントロールホールドモードのフルリポーティング伝送モードにおいて、スイッチフレームの一番目のスロットから９番目のスロットまで偶数（又は奇数）スロットごとに該当スロットの間に測定されたフルＣ／Ｉ情報は、サービングセル／セクタに対するウォルシュコードでカバーされて伝送される。
【００９３】
図１０は図９に示した場合と同様にＮが３である場合を示す。このＮに基づいて、切換指示情報（特定の常数又はサービングセル／セクタのフルＣ／Ｉ情報のためのＤＭ情報がターゲットセル／セクタのためのウォルシュコードでカバーリングされたことを示す情報）を伝送するための三つのスロットの区間が予め割り当てられる。
【００９４】
即ち、スイッチフレーム上で一つのサービングセル／セクタカバーを有するＤＭ情報の長さは、ス切換指示情報の長さによって決定される。したがって、一番目のスロットの次のスロットから１１番目スロットの前のスロットまでの偶数（又は奇数）のスロットごとに測定されるフルＣ／Ｉ情報が伝送される。
一番目のスロットの次のスロットから１１番目スロットの前のスロットまでの偶数（又は奇数）スロットを測定するためのフルＣ／Ｉ情報は、サービングセル／セクタのためのウォルシュコードでカバーされた後伝送される。
【００９５】
その後特定の常数が繰り返して伝送されるか、１／２パイロットゲイティングレートに応じて、１１番目のスロットの後の三つのスロットの間、１１番目のスロットで測定されたＤＭ情報がターゲットセル／セクタのためのウォルシュコードでカバーされた後繰り返して伝送され、フルＣ／Ｉ情報に対して定められた伝送電力と同一の伝送電力を有する。
【００９６】
図１１は、本発明に係る１／２レートコントロールホールドモードにおいて、セル／セクタ切換が１／２減少レートモードのフルリポーティング伝送モードで起きる時にチャンネル情報とス切換指示情報を伝送するためのフレームの構成を示したダイアグラムである。ここで、Ｎは３で、ｎは２と仮定する。
【００９７】
図１１においてチャンネル情報と切換指示情報は、１／２パイロットゲイティングレートに応じて偶数（又は奇数）スロットごとに伝送されると仮定する。
【００９８】
１／２レートコントロールホールドモードのフルリポーティング伝送モードにおいて、スイッチフレームの一番目のスロットと二番目のスロットで一番目のスロットの間に測定されたフルＣ／Ｉ情報が、サービングセル／セクタに対するウォルシュコードでカバーされた後伝送される。Ｎが３であるので、切換指示情報（特定の常数又はサービングセル／セクタに対するフルＣ／Ｉ情報のＤＭ情報はターゲットセル／セクタのためのウォルシュコードでカバーされる）を伝送するためのスイッチフレームの６つのスロットの期間は予め定められている。
【００９９】
即ち、スイッチフレーム上でのサービングセル／セクタを有するＤＭ情報の長さは、切換指示情報の長さによって決定される。１／２パイロットゲイティングレートの６つのスロットの期間を確保するために、一番目又は二番目のスロットの後、該当スロットの間に測定されたサービングセル／セクタに対するフルＣ／Ｉ情報又はＤＭ情報が伝送されるスロットは存在しない。
したがって、スイッチフレームの５番目のスロットから最後のスロットまで奇数（又は偶数）スロットごとに５番目のスロットで測定された特定の常数又はＤＭ情報が繰り返して伝送される。
【０１００】
繰り返されるＤＭ情報は、端末機が切り換えようとするターゲットセル／セクタに対するウォルシュコードでカバーされた後伝送され、フルＣ／Ｉ情報に対して決められた伝送電力と同一の伝送電力を有する。
【０１０１】
図１２は、本発明に係る１／４レートコントロールホールドモードにおいて、ノーマルモードのＤＭ伝送モードでセル／セクタ切換時にチャンネル情報及び／又は切換指示情報を伝送するためのフレームの構成を示したダイアグラムである。ここで、Ｎは３以上で、７より小さい。値７は本システムで設定した最大値と仮定する。又、ｎは１と仮定する。
【０１０２】
図１２でチャンネル情報と切換指示情報が１／４スロットごとに１／４パイロットゲイティングレートに応じて伝送される。１／４レートコントロールホールドモードのＤＭ伝送モードにおいて、スイッチフレームの一番目のスロットにける一番目のスロットの間に測定されるフルＣ／Ｉ情報は、サービングセル／セクタに対するウォルシュコードでカバーされた後伝送される。
【０１０３】
Ｎは３より大きいか同じであるので、切換指示情報（特定の常数又はサービングセル／セクタに対するフルＣ／Ｉ情報のＤＭ情報はターゲットセル／セクタに対するウォルシュコードでカバーされる）を伝送するためのスイッチフレームの残りスロットのうち、三つ以上のスロットは予め割り当てられる。
即ち、スイッチフレームのサービングセル／セクタを有するＤＭ情報の長さはス切換指示の長さによって決定される。
【０１０４】
一つのスイッチフレームが１６スロットからなるため、１／４レートパイロットゲイティングレートで、かつＮが３より大きいか同じである場合に、切換指示情報が三つのスロットでのみ伝送される。したがって、一番目のスロット以後、５番の目スロット以後に測定された特定の常数又はＤＭ情報は、スイッチフレームの残りスロットに繰り返して伝送される。繰り返されるＤＭ情報は、端末機が切り換えようとするターゲットセル／セクタに対するウォルシュコードでカバーされた後伝送され、フルＣ／Ｉ情報に対して決められた伝送電力と同じ伝送電力を有する。
【０１０５】
上記したように、本発明によれば、サービングセル／セクタとターゲットセル／セクタの該当基地局は、セル／セクタスイッチからＣＱＩＣＨを正確に受信する。即ち、サービングセル／セクタと、ターゲットセル／セクタの該当基地局は、スイッチフレームの後半部で（Ｎ＊ｎ）スロット区間の間に受信されたＤＭ情報を既に割り当てられたウォルシュコードを用いてウォルシュディカバリングする。
【０１０６】
そのウォルシュディカバリング結果から得られたＤＭ情報に基づいて以前のフルＣ／Ｉ情報をアップデートする。そして、該当フレームの最後のスロットでＤＭ情報を最終的に受信した後、以前の(Ｎ＊ｎ)−１スロットで受信したＤＭ情報の値は、最後のＤＭ情報の値とソフト結合される。そのソフト結合結果に基づき、基地局は最終的に端末機の意図を把握する。
【０１０７】
検出結果、サービングセル／セクタは直ぐ次のフレームの一番目のスロットで受信されるフルＣ／Ｉ情報を用いてＣ／Ｉ情報に対する再同期化が可能なので、以前の間違ったＣ／Ｉ情報は必ず訂正しなければならないというわけではない。
【０１０８】
又、サービングセル／セクタの観点から見た時、フルＣ／Ｉ情報の受信後から切換指示情報の受信スロット前までは続けて連続したフルＣ／Ｉ情報又はＤＭ情報が受信されるので、既存の方法では不可避であったＣ／Ｉアップデートでの時間遅延を無くすことが可能である。したがって、より正確なＣ／Ｉアップデートが可能であり、これによってスイッチフレーム区間の間より正確なスケジューリングが可能となる。
【０１０９】
上記のセル／セクタ切換指示情報を伝送するために端末機が使用する方法は次のように要約することができる。端末機が新たなセル／セクタに切り換えようとする場合、最上のサービングセル／セクタのＣ／Ｉ情報に対するＤＭ情報を２０ｍｓの最後の(Ｎ＊ｎ)スロットの区間に繰り返して伝送する。そして、この最後の(Ｎ＊ｎ)スロットの区間で使用するウォルシュカバーは、ターゲットセル／セクタに対応するウォルシュカバーである。このＤＭ情報の伝送電力はフルＣ／Ｉ情報に対して定められている高い伝送電力である。
【０１１０】
しかし、一般的に端末機が切り換えようとしている状況を仮定する場合、(Ｎ*ｎ)スロットの間、つまり、切換指示情報が伝送される区間には、サービングセル／セクタの該当基地局が該当端末機のためにパケットデータチャンネルをスケジューリングする場合は殆どないと判断できる。よって、この切換指示情報が伝送される区間には現在のサービングセル／セクタのＣ／Ｉ情報に対するＤＭ情報を送る必要性はそれほど高くない。
【０１１１】
もし、切換指示情報が伝送される間、端末機が予め約束された整数値(例えば、１)を繰り返して送るとすれば、サービングセル／セクタ又はターゲットセル／セクタの該当基地局で端末機が切換を意図しなかったのに切換と判定する間違ったアラムの確率を低くすることが可能である。よって、本発明に係る切換指示のための他の方法は次のように要約することができる。
【０１１２】
即ち、端末機がもし新しいセル／セクタ切り換えようとする場合、予め定められた整数値(例えば１)を最後の(Ｎ*ｎ)スロット区間に繰り返して送る。
そして、この区間で使用するウォルシュカバーは、ターゲットセル／セクタに対応するウォルシュカバーである。この使用される伝送電力はフルＣ／Ｉ情報に対して定まれている高い伝送電力である。
【０１１３】
本発明に係る逆方向チャンネルでのキャリア対干渉電力比の送信方法として、特に１xＥＶ-ＤＶシステムでセル／セクタ切換時にＣＱＩＣＨで使用するＣ／Ｉリポーティング技法は、最上のサービングセル／セクタのフルＣ／Ｉ情報を送った後、再びＤＭ情報又は予め決めた整数値をＮ回繰り返して送る。この繰り返されるＤＭ情報は、フルＣ／Ｉ情報の伝送電力と等しい伝送電力を持つようにする。フルＣ／Ｉ情報が現在のサービングセル／セクタに対するスイッチカバーでカバーリングされる反面、ＤＭ情報はターゲットセル／セクタに対するスイッチカバーでカバーリングされる。
【０１１４】
したがって、瞬間的なチャンネル環境悪化によってセル／セクタフルＣ／Ｉのスイッチカバーを基地局がまだ把握できなかった場合、ＤＭ情報に基づいてセル／セクタを切り換えることができるので、セル／セクタ切換の発生認識信頼度が高くなり、通信信頼度を高めることができるという効果がある。
【０１１５】
また、Ｃ／Ｉのアップデート過程で切換指示情報が伝送される間に発生するＣ／Ｉアップデート過程のインタラプションを最小化することが可能である。
また、もしスイッチフレーム反復ファクターＮを調整して、最上のサービングセクタと、切換を願うターゲットセクタとが互いにコロケイディッドされている場合には、セル／セクタ切換を速やかに行うことのできる切換シーケンスが構成されるという長所もある。
【図面の簡単な説明】
【０１１６】
【図１】従来技術に係るアクティブ状態のノーマルモードでチャンネル情報を伝送する方法を説明するための図である。
【図２】従来技術に係るアクティブ状態の１／２減少レートモードでチャンネル情報を伝送する方法を説明するための図である。
【図３】従来技術に係る１／２レートコントロールホールドモードのノーマルモードでチャンネル情報を伝送する方法を説明するための図である。
【図４】従来技術に係る１／２レートコントロールホールドモードの１／２減少レートモードでチャンネル情報を伝送する方法を説明するための図である。
【図５Ａ】本発明に係るノーマルモードのＤＭ伝送モードでセル／セクタ切換時にチャンネル情報及び／又はスイッチングインジケーション切換指示情報を伝送するためのフレームの構成を示したダイアグラムである。
【図５Ｂ】本発明に係るノーマルモードのＤＭ伝送モードでセル／セクター切換時にチャンネル情報及び／又は切換指示情報を伝送するためのフレームの構成を示したダイアグラムである。
【図５Ｃ】本発明に係るノーマルモードのＤＭ伝送モードでセル／セクター切換時にチャンネル情報及び／又は切換指示情報を伝送するためのフレームの構成を示したダイアグラムである。
【図６Ａ】本発明に係るノーマルモードのフルリポーティング伝送モードでセル／セクタ切換時にチャンネル情報及び／又は切換指示情報を伝送するためのフレームの構成を示したダイアグラムである。
【図６Ｂ】本発明に係るノーマルモードのフルリポーティング伝送モードでセル／セクター切換時にチャンネル情報及び／又は切換指示情報を伝送するためのフレームの構成を示したダイアグラムである。
【図６Ｃ】本発明に係るノーマルモードのフルリポーティング伝送モードでセル／セクター切換時にチャンネル情報及び／又は切換指示情報を伝送するためのフレームの構成を示したダイアグラムである。
【図７】本発明に係る１／２減少レートモードのＤＭ伝送モードでセル／セクタ切換時にチャンネル情報及び／又は切換指示情報を伝送するためのフレームの構成を示したダイアグラムである。
【図８】本発明に係る１／２減少レートモードのフルリポーティング伝送モードでセル／セクタ切換時にチャンネル情報及び／又は切換指示情報を伝送するためのフレームの構成を示したダイアグラムである。
【図９】本発明に係る１／２レートコントロールホールドモードのＤＭ伝送モードでセル／セクタ切換時にチャンネル情報及び／又は切換指示情報を伝送するためのフレームの構成を示したダイアグラムである。
【図１０】本発明に係る１／２レートコントロールホールドモードのフルリポーティング伝送モードでセル／セクタ切換時にチャンネル情報及び／又は切換指示情報を伝送するためのフレームの構成を示したダイアグラムである。
【図１１】本発明に係る１／２レートコントロールホールドモードでの１／２減少レートモードのフルリポーティング伝送モードでセル／セクタ切換時にチャンネル情報及び／又は切換指示情報を伝送するためのフレームの構成を示したダイアグラムである。
【図１２】本発明に係る１／４レートコントロールホールドモードでのノーマルモードのＤＭ伝送モードでセル／セクタ切換時にチャンネル情報及び／又は切換指示情報を伝送するためのフレームの構成を示したダイアグラムである。
【図１】
2005525020.tif 000003
【図２】
2005525020.tif 000004
【図３】
2005525020.tif 000005
【図４】
2005525020.tif 000006
【図５Ａ】
2005525020.tif 000007
【図５Ｂ】
2005525020.tif 000008
【図５Ｃ】
2005525020.tif 000009
【図６Ａ】
2005525020.tif 000010
【図６Ｂ】
2005525020.tif 000011
【図６Ｃ】
2005525020.tif 000012
【図７】
2005525020.tif 000013
【図８】
2005525020.tif 000014
【図９】
2005525020.tif 000015
【図１０】
2005525020.tif 000016
【図１１】
2005525020.tif 000017
【図１２】
2005525020.tif 000018
【国際調査報告】
2005525020.tif 000019
2005525020.tif 000020